(57)【要約】【課題】顧客が健康管理に対するモチベーションを上げるための目標を設定することができるとともに、店舗にとっては新規顧客の獲得を図ることができる商品販売データ処理システムを提供する。【解決手段】商品を買上げた顧客の生理的熱量にかかる熱量情報に応じた特典を、買上げ商品にかかる売上処理に反映させる。これにより、熱量情報（例えば、運動や基礎代謝によって消費する熱量である消費カロリー）をより多く顧客に獲得させることの動機付けとなるので、顧客が健康管理に対するモチベーションを上げるための目標を設定することができるとともに、店舗にとっては新規顧客の獲得を図ることができる。【選択図】図１
2010244423.tif 000002
【特許請求の範囲】
【請求項１】
買上げ商品にかかる売上処理を実行する商品販売データ処理システムにおいて、
前記商品を買上げた顧客の生理的熱量にかかる熱量情報を取得する熱量情報取得手段と、
前記熱量情報取得手段により取得した前記熱量情報に応じた特典を、前記売上処理に反映させる特典反映手段と、
を備えることを特徴とする商品販売データ処理システム。
【請求項２】
前記熱量情報取得手段により取得する前記熱量情報は、前記商品を買上げた顧客が運動や基礎代謝によって消費した熱量である消費カロリーである、
ことを特徴とする請求項１記載の商品販売データ処理システム。
【請求項３】
前記熱量情報取得手段により取得する前記熱量情報は、前記商品を買上げた顧客が摂取した食物から得られる熱量である摂取カロリーである、
ことを特徴とする請求項１記載の商品販売データ処理システム。
【請求項４】
前記熱量情報取得手段は、会員カードを介して前記熱量情報を取得する、
ことを特徴とする請求項１ないし３記載の商品販売データ処理システム。
【発明の詳細な説明】
【技術分野】
【０００１】
本発明は、商品販売データ処理システムに関する。
【背景技術】
【０００２】
各種の店舗においてポイントシステムが採用されている。このシステムは、登録された登録顧客に対して、その者が購入した商品やサービスの購入金額に応じたポイントを付与するシステムである。付与されたポイントは、その店舗において金銭と等価の価値を持ち、例えば次回の商品又はサービスの購入時に購入金額の全部又は一部として充当することができる。
【０００３】
このようなポイントシステムを支援するために、商品販売データ処理に際して、例えば登録顧客が有するポイントカードから所定のデータを読み取り、購入金額に応じてポイントを付与したり、購入金額からポイント分の金銭を差し引いたりするような処理を行なうことができるようにしたＰＯＳ端末等の商品販売データ処理装置が実用化されている（特許文献１参照）。
【０００４】
また、近年においては、ジムやフィットネスクラブ等に通って運動することによって無駄なカロリーを消費し、自己の健康を管理する人が増加している。しかしながら、自己の健康管理が目的というだけでは、ジムやフィットネスクラブ通いが長続きしない人がいるのも現実である。
【発明の概要】
【発明が解決しようとする課題】
【０００５】
本発明は、上記に鑑みてなされたものであって、顧客が健康管理に対するモチベーションを上げるための目標を設定することができるとともに、店舗にとっては新規顧客の獲得を図ることができる商品販売データ処理システムを提供することを目的とする。
【課題を解決するための手段】
【０００６】
上述した課題を解決し、目的を達成するために、本発明は、買上げ商品にかかる売上処理を実行する商品販売データ処理システムにおいて、前記商品を買上げた顧客の生理的熱量にかかる熱量情報を取得する熱量情報取得手段と、前記熱量情報取得手段により取得した前記熱量情報に応じた特典を、前記売上処理に反映させる特典反映手段と、を備えることを特徴とする。
【発明の効果】
【０００７】
本発明によれば、商品を買上げた顧客の生理的熱量にかかる熱量情報に応じた特典を、買上げ商品にかかる売上処理に反映させることにより、熱量情報（例えば、運動や基礎代謝によって消費する熱量である消費カロリー）をより多く顧客に獲得させることの動機付けとなるので、顧客が健康管理に対するモチベーションを上げるための目標を設定することができるとともに、店舗にとっては新規顧客の獲得を図ることができる、という効果を奏する。
【図面の簡単な説明】
【０００８】
【図１】本発明の実施の一形態にかかるチェーンストアシステムを概略的に示すネットワーク構成図である。
【図２】図２は、ポイントデータベースのデータ構造の一例を示す模式図である。
【図３】図３は、ＰＯＳ端末の要部構成を示すブロック図である。
【図４】図４は、情報入力端末の要部構成を示すブロック図である。
【図５】図５は、本部サーバの要部構成を示すブロック図である。
【図６】図６は、売上処理の流れを概略的に示すフローチャートである。
【発明を実施するための形態】
【０００９】
以下に添付図面を参照して、この発明にかかる商品販売データ処理システムの最良な実施の形態を詳細に説明する。
【００１０】
図１は、本発明の実施の一形態にかかるチェーンストアシステム１００を概略的に示すネットワーク構成図である。商品販売データ処理システムであるチェーンストアシステム１００は、図１に示すように、複数の店舗システム１と、これらの店舗システム１に通信網２を介して接続される本部システム３とから構成されている。
【００１１】
本部システム３には、本部サーバ３１が備えられている。本部サーバ３１は、ポイントデータベース３２または摂取カロリーデータベース３３にアクセスして、データの読出しや書込みを行うサーバである。ポイントデータベース３２には、図２に示すように、顧客を識別するための識別コードである顧客ＩＤに対応して、現在の累積ポイント、累積ポイントの最終更新日等のデータが記憶されている。摂取カロリーデータベース３３には、顧客ＩＤに対応して、顧客の１日あたりの摂取カロリーデータが記憶されている。ここで、摂取カロリーは、人の生理的熱量にかかる熱量情報であって、人が摂取する食物から得られる熱量である。
【００１２】
各店舗システム１には、それぞれシステムの中枢を担うコンピュータとしてストアサーバ１１が設けられている。そして、このストアサーバ１１に、ＬＡＮ（Local  Area  Network）等の通信回線１２を介して、ＰＯＳ（Point  Of  Sales）端末１３、情報入力端末１４およびプリンタ１５が接続されている。
【００１３】
加えて、本部システム３には、チェーンストアシステム１００とは別に、通信網２を介して運動補助器５および消費カロリー測定器６が接続されている。また、本部システム３には、チェーンストアシステム１００とは別に、通信網２を介して後述する情報入力端末１４が接続されている。運動補助器５は、ジムやフィットネスクラブ等の店舗環境外に設置されるランニングマシン（例えば、特開２００５−７４２１１号公報）や歩数測定装置などに通信機能またはカード書込み機能を付加したものであって、運動量を測定後に消費カロリーを計算し、ポイントカード４の顧客ＩＤに対応付けた消費カロリーデータを本部システム３の本部サーバ３１へ送信、またはポイントカード４に書き込む。消費カロリー測定器６は、カラオケボックス等の店舗環境外に設置されるカラオケ装置（例えば、特開２０００−２９４７９号公報参照）や消費カロリー測定機能を有するゲーム機器などに通信機能またはカード書込み機能を付加したものであって、消費カロリーデータを測定、計算し、ポイントカード４の顧客ＩＤに対応付けた消費カロリーデータを本部システム３の本部サーバ３１へ送信、またはポイントカード４に書き込む。ここで、消費カロリーは、人の生理的熱量にかかる熱量情報であって、人が運動や基礎代謝によって消費する熱量である。
【００１４】
まず、ＰＯＳ端末１３について概略的に説明する。図３は、ＰＯＳ端末１３の要部構成を示すブロック図である。ＰＯＳ端末１３は、制御部本体を構成するＣＰＵ６１、制御プログラム等を格納したＲＯＭ６２、各種のデータを記憶するＲＡＭ６３、現在の日時を計時する時計部６４、Ｉ／Ｏポート６５、ネットワークインタフェース（Ｉ／Ｆ）６６、キーボードコントローラ６７、タッチパネルコントローラ６８、ディスプレイコントローラ６９、プリンタコントローラ７０、スキャナインタフェース（Ｉ／Ｆ）７１、ＨＤＤ（Hard  Disk  Drive）コントローラ７２、カードリーダライタ（Ｒ／Ｗ）コントローラ７３等をバス接続してなる制御回路を内蔵している。
【００１５】
Ｉ／Ｏポート６５には、モードスイッチ６５ａとドロワ開放装置６５ｂとが接続されている。また、ネットワークインタフェース（Ｉ／Ｆ）６６には、通信回線１２が接続されている。さらに、キーボードコントローラ６７にはキーボード６７ａが接続され、タッチパネルコントローラ６８にはタッチパネル付きディスプレイのタッチパネルセンサ６８ａとディスプレイ部６８ｂとが接続され、ディスプレイコントローラ６９には客用のディスプレイ６９ａが接続されている。また、プリンタコントローラ７０にはプリンタ７０ａが接続され、スキャナＩ／Ｆ７１にはスキャナ７１ａが接続され、ＨＤＤコントローラ７２には各種の制御プログラムを格納するＨＤＤ７２ａが接続されている。また、カードＲ／Ｗコントローラ７３にはポイントカード４のカードデータの読み書きを行うカードリーダライタ（Ｒ／Ｗ）７３ａが接続されている。
【００１６】
キーボードコントローラ６７は、キーボード６７ａから操作されたキーに対応するキー信号を取り込みＣＰＵ６１に知らせる。タッチパネルコントローラ６８は、ＣＰＵ６１からの指令によりディスプレイ部６８ｂに各種の画面を選択的に表示させるとともに、タッチパネルセンサ６８ａの信号を取り込みタッチ位置座標を求めてＣＰＵ６１に知らせる。ディスプレイコントローラ６９は、客の支払う合計金額等の表示データに対応した文字等をディスプレイ６９ａに表示させる。プリンタコントローラ７０は、プリンタ７０ａによるレシート印字及びジャーナル印字を制御する。スキャナＩ／Ｆ７１は、スキャナ７１ａにてスキャニングされたバーコードデータを入力する。なお、キーボード６７ａは、数値データを置数入力するための置数キーの他、ＰＬＵキー，小計キー，預／現計キー，合計キー等の各種ファンクションキーを配設したものである。モードスイッチ６５ａは各種業務モードを選択するためのものである。ＨＤＤコントローラ７２は、ＨＤＤ７２ａに対するデータの読み取り／書き込みを制御する。
【００１７】
ＰＯＳ端末１３のＣＰＵ６１は、ＲＯＭ６２またはＨＤＤ７２ａに格納した制御プログラムをＲＡＭ６３にロードして実行することにより、各種機能を実現できるようになっている。ここで、ＰＯＳ端末１３のＣＰＵ６１は、ＲＯＭ６２またはＨＤＤ７２ａに格納した制御プログラムに従って実行するポイント機能について説明する。
【００１８】
ＰＯＳ端末１３は、顧客が購入する商品の登録が可能である。そして、商品登録が行われると、その商品の販売データをメモリに売上処理する。また、１顧客との商取引の登録締めを宣言する手段を有している。そして、登録締めが宣言されると、メモリに売上処理された商品販売データに基づいてその商取引の合計金額を確定する。そして、この合計金額に対する顧客からの代金支払データを処理する機能を有している。
【００１９】
さらに、ＰＯＳ端末１３は、ポイントカード４に記録された顧客ＩＤ等のカードデータをカードリーダライタ（Ｒ／Ｗ）７３ａを介して読取る機能を有している。そして、ポイントカード４のカードデータを読取ると、そのカードデータ中の顧客ＩＤを含むポイント照会コマンドを生成し、ＬＡＮ１２，ストアサーバ１１及び通信網２を介して本部サーバ３１に送信する。これに応じて、本部サーバ３１では、ポイント照会コマンド中の顧客ＩＤに対応してポイントデータベース３２に記憶されている累積ポイントデータが読み出され、コマンド送信元のＰＯＳ端末１３に送信されるので、ＰＯＳ端末１３は、この累積ポイントによる代金支払いを可能とする。
【００２０】
ここで、累積ポイントの全部または一部による代金支払いデータが入力された場合には、ＰＯＳ端末１３は、支払ポイントをポイント減算情報とするポイント更新コマンドを生成し、ポイント照会コマンドのときと同様に本部サーバ３１に送信する。これに応じて、本部サーバ３１では、ポイント更新コマンド中の顧客ＩＤに対応してポイントデータベース３２に記憶されている累積ポイントデータから同コマンド中のポイント減算情報分が減算更新されるものとなっている。
【００２１】
これに対し、ポイント以外の方法で代金支払データが入力された場合には、今回の商取引の売上金額等に基づいて今回ポイントを算出する。そして、この今回ポイントをポイント加算情報とするポイント更新コマンドを生成し、ポイント照会コマンドのときと同様に本部サーバ３１に送信する。これに応じて、本部サーバ３１では、ポイント更新コマンド中の顧客ＩＤに対応してポイントデータベース３２に記憶されている累積ポイントデータに同コマンド中のポイント加算情報分が加算更新されるものとなっている。
【００２２】
次に、情報入力端末１４について説明する。図４は、情報入力端末１４の要部構成を示すブロック図である。情報入力端末１４は、情報入力端末１４は、ＣＰＵ、制御プログラムを格納するＲＯＭ、ＲＡＭ等で構成されるコンピュータ構成の制御部８５と、不揮発性ＲＯＭ等で構成されるメモリ部８６とを保有し、バス８７を介して接続された通信インタフェース（Ｉ／Ｆ）８８から、通信回線１２を介してストアサーバ１１との間で相互にオンライン通信を実行し得るように構成されている。また、制御部８５には、バス８７及びＩ／Ｏ機器制御部８９を介して、表示装置８１、タッチパネル８２、カードリーダライタ８３が接続され、さらに、プリンタ８４が接続されている。
【００２３】
情報入力端末１４の制御部８５のＣＰＵは、ＲＯＭの制御プログラムをＲＡＭにロードして実行することにより、各種機能を実現できるようになっている。本実施の形態にかかる情報入力端末１４の制御部８５のＣＰＵで実行される制御プログラムは、熱量情報取得手段９０を含むモジュール構成となっており、実際のハードウェアとしてはＣＰＵがＲＯＭから制御プログラムを読み出して実行することにより上記各部がＲＡＭ上にロードされ、熱量情報取得手段９０がＲＡＭ上に生成されるようになっている。以下において、熱量情報取得手段９０により実行される熱量情報取得処理について説明する。
【００２４】
情報入力端末１４は、ポイントカード４に記録された顧客ＩＤ等のカードデータをカードリーダライタ８３を介して読み取る機能を有している。すなわち、情報入力端末１４は、ポイントカード４のカードデータを読取ると、そのカードデータ中の顧客ＩＤを含むポイント照会コマンドを生成し、ＬＡＮ１２，ストアサーバ１１及び通信網２を介して本部サーバ３１に送信する。これに応じて、本部サーバ３１では、ポイント照会コマンド中の顧客ＩＤに対応してポイントデータベース３２に記憶されている累積ポイントデータが読み出され、コマンド送信元の情報入力端末１４に送信されるので、情報入力端末１４は、この累積ポイントを表示部に表示する。
【００２５】
また、情報入力端末１４は、ポイントカード４のカードデータ内の消費カロリーデータを読取ると、消費カロリーデータをポイントに換算した消費カロリー換算ポイントに変換して、消費カロリー換算ポイントをポイント加算情報とするポイント更新コマンドを生成し、ポイント照会コマンドのときと同様に本部サーバ３１に送信する。これに応じて、本部サーバ３１では、ポイント更新コマンド中の顧客ＩＤに対応してポイントデータベース３２に記憶されている累積ポイントデータに同コマンド中のポイント加算情報分が加算更新されるものとなっている。
【００２６】
このように、本ポイントシステムに対応したＰＯＳ端末１３及び情報入力端末１４からは、ポイントカード４のデータ読取りに応じて本部サーバ３１に先ずポイント照会コマンドが送信され、続いて、端末内での情報処理に応じてポイント更新コマンドが送信されるようになっている。
【００２７】
加えて、情報入力端末１４は、顧客の１日あたりの摂取カロリーデータおよび消費カロリーの測定が不可能な環境における運動・行動での消費カロリーデータの入力を受け付ける機能を有している。すなわち、情報入力端末１４は、ポイントカード４のカードデータを読み取り、１日の摂取カロリーデータが入力されると、摂取カロリーデータ更新コマンドを生成し、ＬＡＮ１２，ストアサーバ１１及び通信網２を介して本部サーバ３１に送信する。これに応じて、本部サーバ３１では、摂取カロリーデータ更新コマンド中の顧客ＩＤに対応して摂取カロリーデータベース３３に記憶されている摂取カロリーデータに同コマンド中の摂取カロリーデータが加算更新されるものとなっている。
【００２８】
なお、本実施の形態においては、顧客の１日あたりの摂取カロリーデータを情報入力端末１４を介して手入力によって入力するようにしたが、これに限るものではなく、買い上げ商品が１日に消費する食物と同じであるとするならば、各商品のカロリーを商品マスタに記憶しておき、売上処理の際に総カロリー量を算出して摂取カロリーデータとしても良い。
【００２９】
また、情報入力端末１４は、ポイントカード４のカードデータを読み取り、消費カロリーデータが入力されると、入力された消費カロリーデータをポイントに換算した消費カロリー換算ポイントに変換して、ポイント更新コマンドを生成し、ＬＡＮ１２，ストアサーバ１１及び通信網２を介して本部サーバ３１に送信する。これに応じて、本部サーバ３１では、ポイント更新コマンド中の顧客ＩＤに対応してポイントデータベース３２に記憶されている累積ポイントデータに同コマンド中のポイント加算情報分が加算更新されるものとなっている。
【００３０】
また、情報入力端末１４は、ポイントカード４のカードデータ内の消費カロリー換算ポイントを読取ると、消費カロリー換算ポイントをポイント加算情報とするポイント更新コマンドを生成し、ポイント照会コマンドのときと同様に本部サーバ３１に送信する。これに応じて、本部サーバ３１では、ポイント更新コマンド中の顧客ＩＤに対応してポイントデータベース３２に記憶されている累積ポイントデータに同コマンド中のポイント加算情報分が加算更新されるものとなっている。
【００３１】
なお、情報入力端末１４における熱量情報取得機能は、上記の例に限定されるものではない。また、ＰＯＳ端末１３と情報入力端末１４の各台数も特に限定されるものではなく、店舗の規模等に応じて適宜決定される。また、情報入力端末１４を省略して、同等の機能をＰＯＳ端末１３で実行することも可能である。
【００３２】
図５は、本部サーバ３１の要部構成を示すブロック図である。本部サーバ３１には、制御部本体としてＣＰＵ４１が設けられている。また、ＣＰＵ４１の動作を制御する業務プログラム等の固定的データが予め格納されたＲＯＭ４２、各種データを一時的に格納するためのワークエリアが形成されるＲＡＭ４３、現在の日付及び時刻を計時する時計部４４、通信網２で接続された複数の外部機器とデータ通信を行う通信部としての通信インターフェイス４５、ＨＤＤ（Hard  Disk  Drive）装置４６にアクセスしてデータの書込みや読出しを行うＨＤＤコントローラ４７、キーボード，マウス等の入力デバイス４８が電気的に接続される入力デバイスインターフェイス４９、ディスプレイ，プリンタ等の出力デバイス５０が電気的に接続される出力デバイスインターフェイス５１などが、本部サーバ３１には設けられている。
【００３３】
ＣＰＵ４１と、ＲＯＭ４２、ＲＡＭ４３、時計部４４、通信インターフェイス４５、ＨＤＤコントローラ４７、入力デバイスインターフェイス４９及び出力デバイスインターフェイス５１とは、アドレスバス，データバスなどのバスライン５２で接続されている。
【００３４】
なお、前述したポイントデータベース３２は、ＨＤＤ装置４６に形成されている。なお、ＨＤＤ装置４６は、本部サーバ３１に内蔵されていてもよいし、外付けされていてもよい。
【００３５】
かかる構成において、ＣＰＵ４１は、通信インターフェイス４５を介して外部機器（ＰＯＳ端末１３，情報入力端末１４）からのポイント照会コマンドを受信すると、ポイントデータベース３２にアクセスして、当該ポイント照会コマンドで指定された顧客ＩＤに対応して記憶されているポイントデータを読出し、このポイントデータを当該ポイント照会コマンド送信元の外部機器に通信インターフェイス４５を介して送信するポイント照会手段５３としての機能と、同じく外部機器からのポイント更新コマンドを受信すると、ポイントデータベース３２にアクセスして、当該ポイント更新コマンドで指定された顧客ＩＤに対応して記憶されているポイントデータを当該ポイント更新コマンドの内容に基づき更新するポイント更新手段５４としての機能とを、ＲＯＭ４２またはＨＤＤ装置４６に記憶されたプログラムにしたがって実現している。
【００３６】
加えて、本部サーバ３１のＣＰＵ４１は、運動補助器５、消費カロリー測定器６および外部に設けられた情報入力端末１４から顧客の生理的熱量にかかる熱量情報を取得する熱量情報取得手段５５としての機能を、ＲＯＭ４２またはＨＤＤ装置４６に記憶されたプログラムにしたがって実現している。
【００３７】
続いて、ＰＯＳ端末１３のＣＰＵ６１が制御プログラムに従って実行する処理のうち、特徴的な処理について説明する。なお、ＨＤＤ７２ａは、各種の制御プログラムのほか、商品マスタ、後述する販促情報（例えば、低カロリー商品の割引／値引など）などを格納している。販促情報は、所定のタイミングで本部サーバ３１からストアサーバ１１を介して送信される。
【００３８】
ＰＯＳ端末１３のＣＰＵ６１は、ＲＯＭ６２またはＨＤＤ７２ａに格納した制御プログラムをＲＡＭ６３にロードして実行することにより、各種機能を実現できるようになっている。本実施の形態にかかるＰＯＳ端末１３のＣＰＵ６１は、熱量情報取得手段５５，９０により取得した熱量情報（摂取カロリーまたは消費カロリー）に応じた特典を、売上処理に反映させる特典反映手段８０としての機能を、ＲＯＭ６２またはＨＤＤ７２ａに格納された制御プログラムにしたがって実現している。
【００３９】
図６は、売上処理の流れを概略的に示すフローチャートである。ＰＯＳ端末装置１３のＣＰＵ６１は、顧客が購入する商品の商品登録の実行後（ステップＳ１）、ポイントカード４に記録された顧客ＩＤ等のカードデータを読み取りに待機する（ステップＳ２）。
【００４０】
カードデータが読み取られると（ステップＳ２のＹｅｓ）、ＣＰＵ６１は、本部サーバ３１のポイントデータベース３２にアクセスして、ステップＳ２で読み取ったカードデータの顧客ＩＤに対応して記憶されているポイントデータを読み出す（ステップＳ３）。
【００４１】
ＣＰＵ６１は、ステップＳ３で読み出したポイントデータが有効（例えば、所定金額分貯まっているなど）であると判断した場合には（ステップＳ４のＹｅｓ）、所定のポイントデータ単位で予め定められた値引額や割引率によって合計金額を再計算するとともに（特典反映手段８０）、有効なポイントデータを減算し、減算したポイントデータおよび再計算後の合計金額をディスプレイ６９ａに表示する（ステップＳ５）。なお、ステップＳ３で読み出したポイントデータが有効（例えば、所定金額分貯まっているなど）でないと判断した場合には（ステップＳ４のＮｏ）、そのままステップＳ６に進む。
【００４２】
ＣＰＵ６１は、１顧客との商取引の登録締めを宣言する手段として機能するキーボード６７ａの現計キーが押下されると（ステップＳ６のＹｅｓ）、取引が成立したものとして取引データが作成されてＲＡＭ６３またはＨＤＤ７２ａに保存される（ステップＳ７）。なお、取引データ、ポイント付与や値引／割引等の情報は、所定のタイミングでストアサーバ１１に送信される。
【００４３】
加えて、ＣＰＵ６１は、ステップＳ２で読み取ったカードデータの顧客ＩＤに対応して記憶されている摂取カロリーデータを読み出す（ステップＳ８）。ステップＳ８で読み出した摂取カロリーデータが一定値以上であると判断した場合には（ステップＳ９のＹｅｓ）、ＣＰＵ６１は、販促情報（例えば、低カロリー商品の割引／値引など）をＨＤＤ７２ａから読み出し（ステップＳ１０）、販促情報に含まれる商品が登録されていれば販促情報に基づいて合計金額を再計算して表示する（ステップＳ１１：特典反映手段８０）。
【００４４】
その後、ＣＰＵ６１は、１顧客との商取引の登録締めを宣言する手段として機能するキーボード６７ａの現計キーが押下されると（ステップＳ５のＹｅｓ）、取引が成立したものとして取引データが作成されてＲＡＭ６３またはＨＤＤ７２ａに保存される（ステップＳ６）。
【００４５】
このように本実施の形態によれば、商品を買上げた顧客の生理的熱量にかかる熱量情報に応じた特典を、買上げ商品にかかる売上処理に反映させることにより、熱量情報（例えば、運動や基礎代謝によって消費する熱量である消費カロリー）をより多く顧客に獲得させることの動機付けとなるので、顧客が健康管理に対するモチベーションを上げるための目標を設定することができるとともに、店舗にとっては新規顧客の獲得を図ることができる。
【符号の説明】
【００４６】
１      商品販売データ処理システム
５５，９０    熱量情報取得手段
８０        特典反映手段
【先行技術文献】
【特許文献】
【００４７】
【特許文献１】特開２００１−２９０９９５号公報
【図１】
2010244423.tif 000003
【図２】
2010244423.tif 000004
【図３】
2010244423.tif 000005
【図４】
2010244423.tif 000006
【図５】
2010244423.tif 000007
【図６】
2010244423.tif 000008